【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
画像データの最終的なフォーマット形式を設定する読み取りパラメータ設定手段と、
前記画像データを追加する選択ファイルを設定するファイル設定手段と、
前記画像データをファイルに変換して保存する制御手段と
を具備し、
前記制御手段は、
前記最終的なフォーマット形式がマルチページである場合は、前記選択ファイルのフォーマット形式をマルチページとし、該選択ファイルに前記画像データを追加して保存し、
前記最終的なフォーマット形式がシングルページである場合は、前記画像データをフォーマット形式がシングルページの新たなファイルとして保存する
ことを特徴とする画像データ処理装置。
【請求項２】
前記原稿の読み取りの開始を指示する読み取り開始指示手段と、
前記原稿の読み取り開始後、前記読み取りパラメータの設定変更を指示する手段と
をさらに具備する
ことを特徴とする請求項１記載の画像データ処理装置。
【請求項３】
前記ファイル設定手段は、前記画像データが新たなファイルとして保存されると、該新たなファイルを選択ファイルに設定する
ことを特徴とする請求項１又は２記載の画像データ処理装置。
【請求項４】
前記画像データは、前記最終的なフォーマット形式をマルチページとして取り込んだ画像データである
ことを特徴とする請求項３記載の画像データ処理装置。
【請求項５】
前記選択ファイルに追加する前記画像データを挿入するページを指定する手段をさらに具備し、
前記制御手段は、前記画像データを指定のページとして追加し、既に読み取り済みのページの順番を順次繰り下げて保存する
ことを特徴とする請求項１乃至４記載の画像データ処理装置。
【請求項６】
前記制御手段は、前記画像データの読み取りの終了が指示されると、前記選択ファイルの識別子を保存し、
前記ファイル選択手段は、読み取り開始が指示されると前記識別子のファイルを選択ファイルに設定する
ことを特徴とする請求項１乃至５記載の画像データ処理装置。
【請求項７】
出来上がりリストの入力を受け付けると共に、該出来上がりリストを読み取りパラメータとして設定する出来上がりリスト選択手段をさらに具備し、
前記読み取りパラメータ設定手段は、前記出来上がりリストが前記読み取りパラメータとして選択されると、該出来上がりリストに従って前記読み取りパラメータの設定を順次変更する
ことを特徴とする請求項１乃至６記載の画像データ処理装置。
【請求項８】
原稿を読み込んで画像データを取得する読み取り手段と、
前記画像データの最終的なフォーマット形式を設定する読み取りパラメータ設定手段と、
前記画像データを追加する選択ファイルを設定するファイル設定手段と、
前記画像データをファイルに変換して保存する制御手段と
を備え、
前記制御手段は、
前記最終的なフォーマット形式がマルチページである場合は、前記選択ファイルのフォーマット形式をマルチページとし、該選択ファイルに前記画像データを追加して保存し、
前記最終的なフォーマット形式がシングルページである場合は、前記画像データをフォーマット形式がシングルページの新たなファイルとして保存する
ことを特徴とする画像データ処理システム。
【請求項９】
原稿を読み取り手段で読み取って取得した画像データを制御手段で所望のフォーマット形式のファイルに変換して保存するための処理を画像データ処理装置に実行させるプログラムであって、
前記画像データの最終的なフォーマット形式を読み取りパラメータに設定するステップと、
前記画像データを追加する選択ファイルをファイル設定手段で設定するステップと、
前記最終的なフォーマット形式がマルチページである場合は、前記制御手段で前記選択ファイルのフォーマット形式をマルチページとし、該選択ファイルに前記画像データを追加して保存するステップと、
前記最終的なフォーマット形式がシングルページである場合は、前記制御手段で前記画像データをフォーマット形式がシングルページの新たなファイルとして保存するステップと
を画像データ処理装置に実行させることを特徴とする画像データ処理プログラム。
【請求項１０】
前記原稿の読み取り開始後、前記読み取りパラメータの設定変更を指示する手段で、該読み取りパラメータの設定を変更するステップを前記画像データ処理装置にさらに実行させることを特徴とする請求項９記載の画像データ処理プログラム。
【請求項１１】
前記画像データが新たなファイルとして保存されると、該新たなファイルを前記ファイル設定手段で選択ファイルに設定するステップを前記画像データ処理装置にさらに実行させることを特徴とする請求項９又は１０記載の画像データ処理プログラム。
【請求項１２】
前記最終的なフォーマット形式をマルチページとして、前記読み取り手段で前記原稿を読み取った画像データが新たなファイルとして保存されると、該新たなファイルを前記ファイル設定手段で選択ファイルに設定するステップを前記画像データ処理装置にさらに実行させることを特徴とする請求項９又は１０記載の画像データ処理プログラム。
【請求項１３】
前記選択ファイルに追加する前記画像データを挿入するページが読み取りパラメータに設定されると、前記画像データを前記読み取りパラメータで設定されたページとして前記制御手段で追加すると共に、既に読み取り済みのページの順番を順次繰り下げて保存するステップを前記画像データ処理装置にさらに実行させることを特徴とする請求項９乃至１２記載の画像データ処理プログラム。
【請求項１４】
前記画像データの読み取りの終了が指示されると、前記制御手段で前記選択ファイルの識別子を保存するステップと、
読み取り開始が指示されると前記識別子のファイルを前記ファイル選択手段で選択ファイルに設定するステップと
を前記画像データ処理装置にさらに実行させることを特徴とする請求項９乃至１３記載の画像データ処理プログラム。
【請求項１５】
出来上がりリストを出来上がりリスト選択手段で受け付け、該出来上がりリストが前記読み取りパラメータとして選択されると、該出来上がりリストに従って前記読み取りパラメータの設定を順次変更するステップを前記画像データ処理装置にさらに実行させることを特徴とする請求項９乃至１４記載の画像データ処理プログラム。
【手続補正２】
【補正対象書類名】明細書
【補正対象項目名】発明の名称
【補正方法】変更
【補正の内容】
【発明の名称】画像データ処理装置、画像データ処理システム、及び画像データ処理プログラム
【手続補正３】
【補正対象書類名】明細書
【補正対象項目名】０００１
【補正方法】変更
【補正の内容】
【０００１】
本発明は、画像データ処理装置、画像データ処理システム、及び画像データ処理プログラムに関し、特に、複数枚の原稿を読み込んで処理することが可能な画像データ処理装置、画像データ処理システム、及び画像データ処理プログラムに関する。
【手続補正４】
【補正対象書類名】明細書
【補正対象項目名】０００９
【補正方法】変更
【補正の内容】
【０００９】
そこで本発明では、複数の原稿をシングルページとマルチページの異なったフォーマット形式で読み取って保存する際の操作性を改善することが可能な画像データ処理装置、画像データ処理システム、及び画像データ処理プログラムを提供することを目的とする。
【手続補正５】
【補正対象書類名】明細書
【補正対象項目名】００１０
【補正方法】変更
【補正の内容】
【００１０】
本発明における画像データ処理装置は、画像データの最終的なフォーマット形式を設定する読み取りパラメータ設定手段と、前記画像データを追加する選択ファイルを設定するファイル設定手段と、前記画像データをファイルに変換して保存する制御手段とを具備し、前記制御手段は、前記最終的なフォーマット形式がマルチページである場合は、前記選択ファイルのフォーマット形式をマルチページとし、該選択ファイルに前記画像データを追加して保存し、前記最終的なフォーマット形式がシングルページである場合は、前記画像データをフォーマット形式がシングルページの新たなファイルとして保存する。
【手続補正６】
【補正対象書類名】明細書
【補正対象項目名】００１７
【補正方法】変更
【補正の内容】
【００１７】
次に本発明における画像データ処理システムは、原稿を読み込んで画像データを取得する読み取り手段と、前記画像データの最終的なフォーマット形式を設定する読み取りパラメータ設定手段と、前記画像データを追加する選択ファイルを設定するファイル設定手段と、前記画像データをファイルに変換して保存する制御手段とを備え、前記制御手段は、前記最終的なフォーマット形式がマルチページである場合は、前記選択ファイルのフォーマット形式をマルチページとし、該選択ファイルに前記画像データを追加して保存し、前記最終的なフォーマット形式がシングルページである場合は、前記画像データをフォーマット形式がシングルページの新たなファイルとして保存する。
本発明における画像データ処理プログラムは、原稿を読み取り手段で読み取って取得した画像データを制御手段で所望のフォーマット形式のファイルに変換して保存するための処理を画像データ処理装置に実行させるプログラムであって、前記画像データの最終的なフォーマット形式を読み取りパラメータに設定するステップと、前記画像データを追加する選択ファイルをファイル設定手段で設定するステップと、前記最終的なフォーマット形式がマルチページである場合は、前記制御手段で前記選択ファイルのフォーマット形式をマルチページとし、該選択ファイルに前記画像データを追加して保存するステップと、前記最終的なフォーマット形式がシングルページである場合は、前記制御手段で前記画像データをフォーマット形式がシングルページの新たなファイルとして保存するステップとを画像データ処理装置に実行させる。
【手続補正７】
【補正対象書類名】明細書
【補正対象項目名】００１８
【補正方法】変更
【補正の内容】
【００１８】
また、前記原稿の読み取り開始後、前記読み取りパラメータの設定変更を指示する手段で、該読み取りパラメータの設定を変更するステップを前記画像データ処理装置にさらに実行させることが望ましい。
【手続補正８】
【補正対象書類名】明細書
【補正対象項目名】００１９
【補正方法】変更
【補正の内容】
【００１９】
また、前記画像データが新たなファイルとして保存されると、該新たなファイルを前記ファイル設定手段で選択ファイルに設定するステップを前記画像データ処理装置にさらに実行させることが望ましい。
【手続補正９】
【補正対象書類名】明細書
【補正対象項目名】００２０
【補正方法】変更
【補正の内容】
【００２０】
また、前記最終的なフォーマット形式をマルチページとして、前記読み取り手段で前記原稿を読み取った画像データが新たなファイルとして保存されると、該新たなファイルを前記ファイル設定手段で選択ファイルに設定するステップを前記画像データ処理装置にさらに実行させることが望ましい。
【手続補正１０】
【補正対象書類名】明細書
【補正対象項目名】００２１
【補正方法】変更
【補正の内容】
【００２１】
また、前記選択ファイルに追加する前記画像データを挿入するページが読み取りパラメータに設定されると、前記画像データを前記読み取りパラメータで設定されたページとして前記制御手段で追加すると共に、既に読み取り済みのページの順番を順次繰り下げて保存するステップを前記画像データ処理装置にさらに実行させることが望ましい。
【手続補正１１】
【補正対象書類名】明細書
【補正対象項目名】００２２
【補正方法】変更
【補正の内容】
【００２２】
また、前記画像データの読み取りの終了が指示されると、前記制御手段で前記選択ファイルの識別子を保存するステップと、読み取り開始が指示されると前記識別子のファイルを前記ファイル選択手段で選択ファイルに設定するステップとを前記画像データ処理装置にさらに実行させることが望ましい。
【手続補正１２】
【補正対象書類名】明細書
【補正対象項目名】００２３
【補正方法】変更
【補正の内容】
【００２３】
また、出来上がりリストを出来上がりリスト選択手段で受け付け、該出来上がりリストが前記読み取りパラメータとして選択されると、該出来上がりリストに従って前記読み取りパラメータの設定を順次変更するステップを前記画像データ処理装置にさらに実行させることが望ましい。
【手続補正１３】
【補正対象書類名】明細書
【補正対象項目名】００２５
【補正方法】変更
【補正の内容】
【００２５】
以下、本発明に係る画像データ処理装置、画像データ処理システム、及び画像データ処理プログラムを実施するための最良の形態について、添付図面を参照して詳細に説明する。